(57)【要約】      （修正有）【課題】放熱面積を増やし、同時に内外の通気孔により有効的に熱を排出して良好な放熱効果を達成するフィン式ＬＥＤライトカップ型ランプの構造を提供する。【解決手段】フィン式ＬＥＤライトカップ型ランプの構造は、ライトカップ１及びライトカップ内に設置したＬＥＤ光源２を含む。ライトカップ内は中空で、中空室１０を備える。更にライトカップ外側周囲には外側に伸びた複数の放熱フィンが環設され、ＬＥＤ光源は中空室内に設置し、回路板２０、及び回路板上に設置した発光ダイオード２１を含む。そのうち、各放熱フィンはすべて根部及び根部末端から分かれて伸びた複数のフォーク部を含み、且つ各放熱フィンのフォーク部の間には、上下貫通した外側通気孔１２を形成し、また隣り合う各放熱フィンは互いに近いフォーク部と根部によって覆い、上下に貫通した内側通気孔１３を成形する。【選択図】図４
0003167518.tif 000002
【実用新案登録請求の範囲】
【請求項１】
中が中空の中空室を備え、且つ、該ライトカップ外側の周囲には、環状に配置され外側に向かって伸びる複数の放熱フィンが環設されるライトカップと、該中空室に設置し、回路板及び該回路板上に設置する発光ダイオードを含むＬＥＤ光源から構成されるフィン式ＬＥＤライトカップ型ランプの構造において、
そのうち、各該放熱フィンは、すべて根部及び該根部末端から分かれて伸びた複数のフォーク部を含み、且つ、各該放熱フィンの前述フォーク部の間には、上下に貫通した外側通気孔を形成し、また、隣り合う各該放熱フィンは近くの前述フォーク部と前述根部によって覆われ、上下に貫通した内側通気孔を形成することを特徴とするフィン式ＬＥＤライトカップ型ランプの構造。
【請求項２】
前記ライトカップの中空室は、内部のエリアに下部中空と上部中空を形成し、且つ該ＬＥＤ光源は該下部中空内に設置することを特徴とする請求項１記載のフィン式ＬＥＤライトカップ型ランプの構造。
【請求項３】
前記ＬＥＤ光源の回路板は、電子制御部品に電気連接し、該上部中空内に設置することを特徴とする請求項２記載のフィン式ＬＥＤライトカップ型ランプの構造。
【請求項４】
前記中空室は、内部横に仕切板を設置し、該仕切板によって該中空室の内部を前述下部中空と前述上部中空に仕切ることを特徴とする請求項２記載のフィン式ＬＥＤライトカップ型ランプの構造。
【請求項５】
前記回路板の背面は、該仕切板上に重ねて設置することを特徴とする請求項４記載のフィン式ＬＥＤライトカップ型ランプの構造。
【請求項６】
前記ライトカップは、最上端に絶縁スリーブを設置し、該絶縁スリーブは電気連接部を備えることを特徴とする請求項１記載のフィン式ＬＥＤライトカップ型ランプの構造。
【請求項７】
前記ライトカップは、底縁の該中空室に相対する箇所にレンズカバーを設置し、該レンズカバーは外フレーム及び該外フレーム内に設置するレンズ固定片を含むことを特徴とする請求項１記載のフィン式ＬＥＤライトカップ型ランプの構造。
【請求項８】
前記各前述発光ダイオードは、すべてレンズを設置し、且つ前述レンズ固定片に相対する各該レンズ箇所には、それぞれレンズ固定台を設置することを特徴とする請求項７記載のフィン式ＬＥＤライトカップ型ランプの構造。
【請求項９】
前記各該放熱フィンのフォーク部は、第一フォーク部と第二フォーク部に分かれ、各該放熱フィンは「Y」字型を形成することを特徴とする請求項１記載のフィン式ＬＥＤライトカップ型ランプの構造。
【請求項１０】
前記各前述フォーク部は、末端が環状部によって連接し、構成することを特徴とする請求項１記載のフィン式ＬＥＤライトカップ型ランプの構造。
【考案の詳細な説明】
【技術分野】
【０００１】
本考案は、照明ランプに関するもので、特にフィン式ＬＥＤライトカップ型ランプの構造に係わる。
【背景技術】
【０００２】
発光ダイオード（ＬＥＤ）は、輝度が高く、省エネ、寿命が長い等という様々な長所を備えるため、電子装置やライトの照明器具に広く応用され、且つその照射範囲と輝度を高めるため、通常、複数の発光ダイオードを組み合わせてＬＥＤライトユニットに構成する。しかしながら、発光ダイオードの数量の増加及び高パワーの発光ダイオード等が徐々に開発されることで、その運用によって発生する熱量は益々上がっている。そのため、ＬＥＤライトランプ用の放熱構造を備えることが、現在、当領域業に関連する人々の研究課題の一つとなっている。
【０００３】
現在、発光ダイオードを用いた発光光源のランプでは、すべて発光ダイオードの高パワーがもたらす放熱問題を考慮しなければならない。以前の方法は、ライトカップ上に放熱フィンを環設したが、それらが提供する放熱面積は有限で、且つ放熱フィン間に形成される気流の流道に設計を加えても、放熱フィン間に熱が篭りやすく、熱を下げることができず、放熱効率がよくない。
【０００４】
この他、ファンを設置する方法で、放熱フィン間の熱の問題を解決しようとするものもあるが、ファンのコストが増え、ファンに依る電気消耗等の問題も加え、理想的でない。
この件から本考案者は上述の問題を改善するため、研究を重ね、理論の運用に専心し、有効に改善する本考案を提出することになった。
【先行技術文献】
【特許文献】
【０００５】
【特許文献１】実用新案登録第３１５９６１９号公報
【考案の概要】
【考案が解決しようとする課題】
【０００６】
解決しようとする問題点は、放熱フィン間には熱がこもりやすいため、結果としてファンを設置すると、コストが高くなり、その設置に拠って電気が消耗され理想的でない点である。
本考案は、放熱面積を増やし、同時に内外側の通気孔により有効的に熱を排出し、良好な放熱効果を達成するフィン式ＬＥＤライトカップ型ランプの構造を提供することにある。
【課題を解決するための手段】
【０００７】
本考案は、ライトカップ及びライトカップ内に設置したＬＥＤ光源を含む。ライトカップ内は中空で、中空室を備える。更にライトカップ外側周囲には外側に伸びた複数の放熱フィンが環設され、ＬＥＤ光源は中空室内に設置し、回路板、及び回路板上に設置した発光ダイオードを含む。そのうち，各放熱フィンはすべて根部及び根部末端から分かれて伸びた複数のフォーク部を含み、且つ各放熱フィンのフォーク部の間には、上下貫通した外側通気孔を形成し、また隣り合う各放熱フィンは互いに近いフォーク部と根部によって覆い、上下が貫通した内側通気孔を成形することを最も主要な特徴とする。
【０００８】
すなわち、請求項１の考案は、フィン式ＬＥＤライトカップ型ランプの構造において、中が中空の中空室を備え、且つ該ライトカップ外側の周囲には、環状に配置され外側に向かって伸びる複数の放熱フィンが環設されるライトカップと、該中空室に設置し、回路板及び該回路板上に設置する発光ダイオードを含むＬＥＤ光源から構成されるフィン式ＬＥＤライトカップ型ランプの構造において、そのうち、各該放熱フィンは、すべて根部及び該根部末端から分かれて伸びた複数のフォーク部を含み、且つ、各該放熱フィンの前述フォーク部の間には、上下に貫通した外側通気孔を形成し、また、隣り合う各該放熱フィンは近くの前述フォーク部と前述根部によって覆われ、上下に貫通した内側通気孔を形成することを特徴とする。
【０００９】
請求項２の考案は、請求項１記載のフィン式ＬＥＤライトカップ型ランプの構造において、前記ライトカップの中空室は、内部のエリアに下部中空と上部中空を形成し、且つ該ＬＥＤ光源は該下部中空内に設置することを特徴とする。
請求項３の考案は、請求項２記載のフィン式ＬＥＤライトカップ型ランプの構造において、前記ＬＥＤ光源の回路板は、電子制御部品に電気連接し、該上部中空内に設置することを特徴とする。
請求項４の考案は、請求項２記載のフィン式ＬＥＤライトカップ型ランプの構造において、前記中空室は、内部横に仕切板を設置し、該仕切板によって該中空室の内部を前述下部中空と前述上部中空に仕切ることを特徴とする。
【００１０】
請求項５の考案は、請求項４記載のフィン式ＬＥＤライトカップ型ランプの構造において、前記回路板の背面は、該仕切板上に重ねて設置することを特徴とする。
請求項６の考案は、請求項１記載のフィン式ＬＥＤライトカップ型ランプの構造において、前記ライトカップは、最上端に絶縁スリーブを設置し、該絶縁スリーブは電気連接部を備えることを特徴とする。
請求項７の考案は、請求項１記載のフィン式ＬＥＤライトカップ型ランプの構造において、前記ライトカップは、底縁の該中空室に相対する箇所にレンズカバーを設置し、該レンズカバーは外フレーム及び該外フレーム内に設置するレンズ固定片を含むことを特徴とする。
【００１１】
請求項８の考案は、請求項７記載のフィン式ＬＥＤライトカップ型ランプの構造において、前記各前述発光ダイオードは、すべてレンズを設置し、且つ前述レンズ固定片に相対する各該レンズ箇所には、それぞれレンズ固定台を設置することを特徴とする。
請求項９の考案は、請求項１記載のフィン式ＬＥＤライトカップ型ランプの構造において、前記各該放熱フィンのフォーク部は、第一フォーク部と第二フォーク部に分かれ、各該放熱フィンは「Y」字型を形成することを特徴とする。
請求項１０の考案は、請求項１記載のフィン式ＬＥＤライトカップ型ランプの構造において、前記各前述フォーク部は、末端が環状部によって連接し、構成することを特徴とする。
【考案の効果】
【００１２】
本考案のフィン式ＬＥＤライトカップ型ランプの構造は、各放熱フィン末端を二股状に設計することで、放熱面積を増やし、同時に内外側の通気孔を成形して気流通道を作り、同時に有効に熱を排出して良好な放熱効果を達成する。
また、ライトカップ内は中空で中空室を備え、且つライトカップ外側周囲には外側に伸びる複数の放熱フィンを環設し、ＬＥＤ光源は中空室内に設置し、回路板及び回路板上に設置する発光ダイオードを含み、そのうち各放熱フィンは、すべて根部及び根部末端から分かれて伸びた複数のフォーク部を含み、且つ各放熱フィンのフォーク部間には、上下に貫通した外側通気孔を形成し、また隣り合う各放熱フィンは近くのフォーク部と根部によって覆われ、上下に貫通した内側通気孔を形成することによっても、良好な放熱効果を達成する。
【図面の簡単な説明】
【００１３】
【図１】本考案の実施例の立体外観図である。
【図２】本考案の立体分解図である。
【図３】本考案の別角度からの立体分解図である。
【図４】本考案の組立断面図である。
【考案を実施するための形態】
【００１４】
本考案は、各放熱フィン末端を二股状に設計することで、放熱面積を増やし、同時に内外の通気孔を成形して気流通道を作り、有効に熱を排出して良好な放熱効果を達成する。また、外付のファンを設置する必要がなく、風力を提供して放熱するフィン式ＬＥＤライトカップ型ランプの構造を提供することを本考案の主な目的とする。
【００１５】
上述の目的を達成するため、本考案係は、フィン式ＬＥＤライトカップ型ランプの構造を提供し、ライトカップ及びライトカップ内に設置するＬＥＤ光源を含む。ライトカップ内は中空で中空室を備え、且つライトカップ外側周囲には外側に伸びる複数の放熱フィンを環設する。
ＬＥＤ光源は中空室内に設置し、回路板及び回路板上に設置する発光ダイオードを含む。そのうち各放熱フィンは、すべて根部及び根部末端から分かれて伸びた複数のフォーク部を含み、且つ各放熱フィンのフォーク部間には、上下に貫通した外側通気孔を形成し、また隣り合う各放熱フィンは近くのフォーク部と根部によって覆われ、上下に貫通した内側通気孔を形成する。
【実施例】
【００１６】
本考案の特徴及び技術内容を更に理解するため、以下本考案の図を挙げながら、詳細な説明を加える。しかしながら、図式及び説明は本考案を制限するものではない。
【００１７】
図１、図２及び図３は、本考案の立体外観図、立体分解図及び別角度の立体分解図である。本考案はフィン式ＬＥＤライトカップ型ランプの構造を提供し、該ＬＥＤライトカップランプは、少なくとも一ライトカップ１、及び該ライトカップ１内に設置するＬＥＤ光源２を含む。
【００１８】
これらのうち、該ライトカップ１は、導熱性が良好な材質、例としてアルミニウム等で一体成型し、カップ形状で、中が中空になっており、中空室１０（図４参照）を備える。該中空室１０内部には、更に下部中空１００と上部中空１０１に分かれる。本考案で挙げた実施例に於いて、該中空室１０内には、仕切板１０２が設置され、該仕切板１０２によって中空室１０内部を前述の下部中空１００と上部中空１０１とに仕切る。この他、該ライトカップ１外側周囲には外側に向かって伸びる複数の放熱フィン１１が環設され、放熱する。
【００１９】
該ＬＥＤ光源２は、上述ライトカップ１の中空室１０内に設置する。更に詳しく説明すると、該ＬＥＤ光源２は回路板２０、該回路板２０上に設置する少なくとも一発光ダイオード２１（ＬＥＤ）を含み、且つ該回路板２０の背面はライトカップ１の仕切板１０２上に重ねて設置し、該ＬＥＤ光源２をライトカップ１の下部中空１００内に納置し、且つ各発光ダイオード２１が発する熱量を仕切板１０２経由でライトカップ１上の各放熱フィン１１箇所へ伝導し、熱量を排出して発光ダイオード２１の放熱を助ける。
【００２０】
この他、該ライトカップ１の底縁の中空室１０に相対する箇所には、更にレンズカバー３を設置し、前述レンズカバー３は外フレーム３０、及び外フレーム３０内に設置するレンズ固定片３１を含み、各発光ダイオード２１上にはすべてレンズ２１０を設置する。且つレンズ固定片３１に相対する各レンズ２１０箇所には、それぞれレンズ固定台３１０を設置し、各発光ダイオード２１が光源を投射した時の光線平均効果を提供する。更に該回路板２０は、電子制御部品２２を連接し、ライトカップ１の上部中空１０１内に納置し、ライトカップ１の最上端には更に絶縁スリーブ２３を設置する。該絶縁スリーブ２３は電気連接部２３０を備え、ランプ台（図略）等箇所に螺設して電気連接する。
【００２１】
本考案の実施例は、主にライトカップ１上の各放熱フィン１１で、各放熱フィン１１はすべて根部１１０及び根部１１０末端から分かれて伸びた複数のフォーク部１１１、１１２を含む。また本考案が挙げる実施例に於いて、各前述放熱フィン１１はすべて第一フォーク部１１１と第二フォーク部１１２を備え、各放熱フィン１１は「Y」字型とする。更に各フォーク部１１１、１１２間に上下に貫通した外側通気孔１２を形成し、また隣り合う各放熱フィン１１は近いフォーク部１１１、１１２と根部１１０によって覆われ、上下に貫通した内側通気孔１３を形成する。他に、各フォーク部１１１、１１２末端は環状部１４によって連接し構成される。
上述の構造によって、本考案フィン式ＬＥＤライトカップ型ランプの構造が完成する。
【００２２】
図４に示すとおり、ＬＥＤ光源２の各発光ダイオード２１に熱が発生すると、ライトカップ１の仕切板１０２を通して熱を各放熱フィン１１上に伝導する。その時、各放熱フィン１１末端に分かれた複数のフォーク部１１１、１１２によって放熱面積が増えるだけでなく、同時に各放熱フィン１１間が外側通気孔１２、内側通気孔１３を備える。
拠って、大部分の熱は各放熱フィン１１の根部１１０を通して内側通気孔１３から排出され、その余った熱は各放熱フィン１１の根部１１０に沿ってフォーク部１１１、１１２へ伝わり、フォーク部１１１、１１２間に覆われた外側通気孔１２はＬＥＤ光源２から遠いため、温度が低く、熱をためる問題が発生しにくくなり、スピーディに余った熱を排出し、内側通気孔１３に堆積した熱を低温のフォーク部１１１、１１２に向けて伝導し、内側通気孔１３に堆積した熱を徐々に排出し、放熱効果を達成する。
【００２３】
上述のとおり、本考案は、公知の欠点を解決し、新規性及び極めて進歩性に富んでいる。なお、本考案の特徴を損なうものでなければ、上述した実施例に限定されるものではない。故に本考案の説明書及び図式と同効果の構造変化は、すべて本考案の請求範囲に含まれるものである。
【符号の説明】
【００２４】
１  ライトカップ
１０  中空室
１００  下部中空
１０１  上部中空
１０２  仕切板
１１  放熱フィン
１１０  根部
１１１  第一フォーク部
１１２  第二フォーク部
１２  外側通気孔
１３  内側通気孔
１４  環状部
２  ＬＥＤ光源
２０  回路板
２１  発光ダイオード
２１０  レンズ
２２  電子制御部品
２３  絶縁スリーブ
２３０  電気連接部
３  レンズカバー
３０  外フレーム
３１  レンズ固定片
３１０  レンズ固定台
【図１】
0003167518.tif 000003
【図２】
0003167518.tif 000004
【図３】
0003167518.tif 000005
【図４】
0003167518.tif 000006